(57)【要約】【課題】  裁縫作業中に待ち針が抜け落ちないよう形態を改良し、待ち針による事故の発生を未然に防止することを課題とする。【解決手段】  縫い針とほぼ同径の金属線を中央部分にて１巻きしたバネを中心とした左右の金属線を４５°前後の開脚状態とし、同じ長さとする。左右の金属線の一方をバネの近位置にて切断し、切断した金属線の尖端部分は同長の縫い針と代替し、金属線の切断部分と縫い針の先端とを長さ方向に平行に並べて若干重複し回動及び離脱しないように熔着接続する。切断しない他方の金属線の先端には金属線緊密に挿入する中空管をバネ面と平行にＵ字形に曲げて固定し上方、左右を開放した袋状縫い針収納ふくらみ部に縫い針を収納する。本待ち針を使用するにあたっては、縫い針を指の力によって縫い針収納ふくらみ部の開口部から外部に押し出し、開脚状態の縫い針に布を係止したまま縫い針の尖端を縫い針収納ふくらみ部内へ収納して係止する。【選択図】図４
0003157197.tif 000002
【実用新案登録請求の範囲】
【請求項１】
本考案において、
１．径が１ｍｍφ前後であって長さ２０ｃｍ〜３０ｃｍ程度の弾力性のある金属線を中央部分にて１巻きして小円バネ１０を形成し、小円バネ１０と左右同長の金属線２、金属線２’によって細長いＵ字形を形成し、Ｕ字形の底部にあたる部分の小円バネ１０の弾力によって、左右同長の２本の金属線２と金属線２’は平行な角度を保ち得ず、小円バネ１０を中心とした金属線２と金属線２’は先端に行くに従い末広がりに４５±５°程度の開口角度を持つ形状とし、
２．４５±５°程度の開口角度を持つ左右２本の金属線２と金属線２’のうち１本の金属線２’をＵ字形の底部近く、つまり小円バネ１０の近くにて切断し、
３．切断して欠落した金属線２’の長さ分は、別途、同長の縫い針１にて代替し、切断して短くなった金属線２’の切断部分と、代替した縫い針１の先端部分は相互の長さ方向に若干重複させ、小円バネ１０の面に対して直角方向に平行して並べ、重複部分の金属線２’と縫い針１の先端部分とを回動及び離脱不可能に熔着物７を充填して固着し、さらに、表面を非滑面状とし夜光物質を使用したすべり防止部６を形成し、
４．切断しない他方の金属線２の尖端には、金属線が緊密に挿入できる中空管３を取り付け固定し、この中空管３をＵ字形に小円バネ１０の面と平行な方向に曲げ、
５．金属線２の尖端を挿入した側のＵ字形中空管３先端付近に、Ｕ字形中空管３の半径長さ程度の長さを長径とする矩形型のストッパー５を取り付け、
６．中空管３にて形成のＵ字形の金属線を挿入しない中空管３側に前後左右を開放した袋状カバー形の縫い針収納ふくらみ部４を取り付け、
７．縫い針収納ふくらみ部４の底部１箇所に凸部８を設ける。
以上の如き構成とした安全安心の待ち針。
【請求項２】
金属線２、金属線２’と縫い針１との材質を使用目的に応じた異種の材質としたことを特徴とする請求項１に記載の安全安心の待ち針。
【考案の詳細な説明】
【技術分野】
【０００１】  本考案は、裁縫時において使用する縫い針の扱い、詳しくは待ち針の抜け落ち及び紛失の防止に関するものである。
【背景技術】
【０００２】  従来より手縫いの作業に、縫い止めのしるしのために数本の待ち針を、裁断し重ね合わせた布に刺して一時的に布のずれなどを防ぐために用いる技術がある。この待ち針は作業が終了しだい抜き取って別の箇所に保管するが、針の頭に色彩された小玉を取り付けて針仕事の途中に抜け落ちしないよう又抜け落ちてもすぐに発見可能となるような工夫が施されている。一つには待ち針が織布を縫って前進しても、布目を通過できない大きさの小玉を固定しているため待ち針は前進できず、その位置にて停止し抜け落ちることを防止する。一つには抜け落ちて行方不明となっても、針自体は見づらいが頭部の色彩された小玉のため容易に発見される（例えば、特許文献１，特許文献２）。又待ち針の尖端部をキャップによって被い、尖端部による怪我の防止、待ち針の抜け落ち防止を目的とするものもある（特許文献３）。
【先行技術文献】
【特許文献】
【０００３】  前段落に現在における待ち針に関する技術を記述したが、現時点での待ち針に関する類似先行技術文献には次の如きものがあった。
【特許文献１】特許公開公報（特許公開２００２−１４２８１６）要約：    縫い針やまち針が布からするりとべり落ちた時、あるいは針を見つけた時に、針の存在する場所を見失わずに直ちに収拾することを可能にする。
解決手段：指輪の外周に石把持部を形成し、石把持部に、表面平坦な永久磁石を、平坦な表面が外になるように、石把持部に嵌着してなる金属収集用指輪。
【特許文献２】特許公開公報（特許公開２００１−０２９１１１）要約：    裁縫の課程において、糸を針の小さな穴に通し、縫ったりかがったりボタンを取り付けたりした後で、また瘤を作り糸を針から切り離す。こうした作業は視力が弱かったり不器用な者には、やりにくい。また従来の短い金属製の針は紛失し易く危険が伴う。ズボン、袖の裾上げの際にまち針を多数使用するが、短くて外れやすく肌に先が当たれば痛く、またなめらかには留められなかった。ベルト止めを作ったりこれを取り付けたりする場合も細かな作業が必要である。裁縫とは別に名札を付ける際の安全ピンには危険性がある。本考案はこれらの欠点を合わせて同時に解決することを目的とする。
解決手段：線状体の一端を、生地（６）に刺し込める硬度の刺し込み部（１）として尖り状に形成し、他端までの糸の機能を果たす部分の線状を作部（２）となし、かつ他端は玉状、鈎状、輪状、または平盤状等のストッパー（３）として、あるいは他端を線状のままとする等を特徴とする。
【特許文献３】特許公開公報（特開平１０−２０４７１４）要約：    針先が、人体、物に刺さる危険を除去するキャップ付まち針を提供する。
解決手段：キャップ３の開口部に溝４を設け、針２を設けたつまみ部１と円筒状のキャップ３に弓形のアーム６を設けたキャップ付まち針。
【非特許文献】
【０００４】
【非特許文献１】
【考案の概要】
【考案が解決しようとする課題】
【０００５】  現在の裁縫技術の一つに、重ね合わせた複数の布どうしにずれが生じないよう又裁断した布の形が崩れないように複数の布を仮固定するため、縫い針の尖っていない端部（先端）に小玉を固定し、該縫い針が使用中に容易に抜け落ちない形態の縫い針を、待ち針と称して多数使用する作業技術があり一般化されている。しかしながら従来より使用している待ち針は、手縫い作業中の縫い糸によって又は作業動作によって、小玉を不用意に引っ掛けたり、引っ張ったりして待ち針を引き抜いてしまう作業ミスが発生し易い形となっている。本考案はこの作業ミスが発生する欠点の解消を課題として解決しようとするものである。
【課題を解決するための手段】
【０００６】  本考案は、前記の課題を解決するため次のような手段を用いる。
１．縫い針１と径が同程度の１ｍｍφ前後であって、長さ２０ｃｍ〜３０ｃｍ程度の弾力性のある金属線を中央部にて１巻きして小円バネ１０を形成し、小円バネ１０と左右同長の金属線２、金属線２’とによって細長いＵ字形を形成する。Ｕ字形の底部に当たる部分の小円バネ１０の弾力により、左右の金属線２、金属線２’は平行にならず、小円バネ１０を中心とした金属線２と金属線２’の２本は尖端に行くに従って末広がりに４５±５°程の開口角度を持つ形状となる。この形状が外力を加えない場合の金属線により形作られたＵ字形である。
２．４５±５°程の開きを保持する左右の２本の金属線２、金属線２’のうち１本金属線２’を小円バネ１０の近く、つまり形成したＵ字形の底部近くにて切断する。
３．切断して欠落した金属線２’の長さ分は、別途同長の縫い針１にて代替し、切断して短くなった金属線の切断部分と該縫い針の先端部分（尖端でない端部）とは相互の長さ方向に若干重複させ、重複部分を融着或いは回動及び離脱不可能に融着物７を充填して固着する。又金属線２’の切断部分と該縫い針の先端部分との重複部分は小円バネ１０の面（円形が見える方向）に対して直角方向となるような並びとする。この並びの方向については、後述の使用例において操作上の重要な要点となることの説明を行う。又この重複部分は表面を非滑面状としプラスチック、皮革、金物等にて被覆し蛍光物質等を塗布するなどして、暗部においても目立つようにする。
４．他方の金属線２の先端には、金属線２の尖端が緊密に挿入できる中空管３を取り付け固定する。該中空管３はＵ字形に曲げ、曲げる方向は前出の小円バネ１０の面に平行となるようにする。
５．中空管３には縫い針を縫い針収納ふくらみ部４に収容する際、確実に収容できるようにストッパー５を取り付ける。
６．Ｕ字形成をなす中空管３の金属線を挿入しない側に前後左右を開放した袋状カバーを取り付け、縫い針収納ふくらみ部４として固定する。
７．縫い針１を縫い針収納ふくらみ部４内に収容する際、縫い針１の尖端を疵付けないように縫い針収納ふくらみ部４の底部に直接他物に接触させないよう、縫い針１の尖端部分が枕状、或いは箸置き状態に載置できるように、縫い針収納ふくらみ部４の底部に縫い針尖端保護用凸部８を設ける。この場合、縫い針は小円バネ１０の弾力によって、縫い針尖端保護用凸部４の頂点に押しつけられている。
【考案の効果】
【０００７】  従来は裁縫作業の途中で、待ち針をうった布を動かした際、自然に抜け落ちることがあり、縫い糸で待ち針の頭の小玉を引っ掛けて抜き飛ばすミスも発生していたが、本考案の待ち針を使用した場合はこのような欠陥が皆無となった。【０００８】  一度に沢山の待ち針を使用しても針先で手指を傷つけるようなことがなくなり、気づかずに落ちている待ち針を踏んで、足裏に刺さったり、折れて体内に入るなどの危険性は全くなくなった。【０００９】  本考案の待ち針はその構造上、布から完全に外さなくては次の作業に進むことができなくなっているため、仕上がった着物製品の中に置き忘れの待ち針が入っていたなどの現象はまったくあり得ない。【００１０】  布を裁断と同時に待ち針をうつことで、裁断と待ち針うち作業が二度手間を掛けなくてもよく、作業時間の短縮が図られた。【００１１】  のため郵送も手軽で粗品、景品等にも利用できる。
【図面の簡単な説明】
【００１２】
【図１】  正面図
【図２】  平面図
【図３】  底面図
【図４】  正面図の図１における縫い針を縫い針収納ふくらみ部から外した正面図
【図５】  正面図の図１におけるＡ−Ａ’線断面拡大図
【図６】  正面図の図１におけるＢ−Ｂ’線断面拡大図
【図７】  金属線の先端に取り付けたキャップ及び縫い針収納ふくらみ部の拡大部分図
【図８】  縫い針収納ふくらみ部の拡大断面図
【考案を実施するための形態】
【００１３】  以下、本考案の実施の形態を第１図から第８図に基づいて説明する。
【００１４】  第１図においては、縫い針１と同程度の太さの金属線を長さの中央部分にて１巻きした小円バネ１０を形成し、金属線の両端が第４図における金属線２と縫い針１の如く末広がりに開口する方向に弾力を持たせる。従って金属線２と縫い針１に外力を加えなければ、第４図の如き末広がり状態が通常の状態である。
【００１５】  金属線２と金属線２’は小円バネ１０を中心として同長であるが、金属線２’のすべり防止部６の位置にて尖端方面を切断する。切断された金属線２’の尖端部分を縫い針１に取り替え、金属線２の長さと、金属線２’の長さ＋縫い針の長さ、とをほぼ同長に揃えるようにすべり防止部６の位置にて回動及び離脱不可能に熔着物７にて固着する。金属線２’の切断した先部分を縫い針１に取り替える目的は、金属線２の尖端を縫い針１の如く先鋭にしても布の繊維を疵付けたり切断したりする恐れがあるため、金属線２の使用目的（中空管３の保持）と縫い針の使用目的（布の繊維の隙間に挿入して布の繊維を疵付けることなく、待ち針の機能を持つ。）別に適した材質の金属線を使用するためである。更に金属線の先端と縫い針の先端が長さ方向に若干（１０ｍｍ程度）重複したすべり防止部６を設ける。
【００１６】  すべり防止部６は第６図にてＢ−Ｂ’断面図として水平に表示した。第４図、第５図の表示は本考案を垂直に表示しているが、これに対して第６図のすべり防止部６は縫い針１と金属線２’を水平に並べる構造とすることを示している。また、縫い針１と金属線２’を固定し回動及び離脱しないように熔着物７を充填して固定する。更に表皮を疎面として使用時に円滑に作業ができるようすべり防止部６を仕上げる。
【００１７】  本考案を使用するとき、第４図にて示す不使用時の常態である縫い針１に、布の仮止め等を実施中の布を係止したままの縫い針１を縫い針収納ふくらみ部４に収納する。この手段としては、すべり防止部６を図の下部から上方に持ち上げることであるが、末広がりに開いている金属線２とすべり防止部６を片手の２本の指にて締め付ければ、縫い針１の尖端は第４図、第５図において点線表示の動線１１の軌跡のように開口部９から縫い針収納ふくらみ部４に入り、小円バネ１０のバネ力により底部に設けた縫い針尖端保護用凸部８の頂部に押しつけられる。片手の２本の指にて締め付ける際、細い金属線２と同じく細い縫い針１が対象であるため、指に力を入れると第５図にて図示するように右或いは左に倒れて締められない。２本の指で締め付けても左右に回動することを防ぐため、すべり防止部６は第６図の如く水平方向に長く構成する必要があった。
【００１８】  前述したように、縫い針１は尖端が精密なものでなければ、布の繊維を疵付けたり切断するなどの事象が発生する。このため縫い針収納ふくらみ部４内に収容する縫い針１は第７図にて示す如く中空管３の底部に、内部に向かって凸部８を設け、この上に縫い針１を小円バネ１０の弾力によって押しつけられて収納できれば、縫い針収納ふくらみ部４内部のいずれの箇所にも触れず縫い針１の尖端は疵付かず収納できる。
【符号の説明】
【００１９】１              縫い針
２              金属線
２’            金属線
３              中空管
４              縫い針収納ふくらみ部
５              ストッパー
６              すべり防止部
７              熔着物
８              凸部
９              開口部
１０            小円バネ
１１            縫い針を収納する際の動線（点線表示）
【図１】
0003157197.tif 000003
【図２】
0003157197.tif 000004
【図３】
0003157197.tif 000005
【図４】
0003157197.tif 000006
【図５】
0003157197.tif 000007
【図６】
0003157197.tif 000008
【図７】
0003157197.tif 000009
【図８】
0003157197.tif 000010